(57)【要約】      （修正有）【課題】簡潔な構成で乗客コンベアの全体に芳香を行渡らせることができる乗客コンベアを提供する。【解決手段】乗客コンベアにおいて、主枠１内を循環移動する無端状に連結された踏段２と、欄干の外周に案内されながら踏段と同期して循環移動する無端状に連結された移動手摺５と、を含む循環移動部を備えた乗客コンベアであって、循環移動部に芳香剤を塗布する芳香剤塗布手段を有する芳香剤供給装置８を備えた構成とする。また、乗客コンベアの改修方法において、主枠内を循環移動する無端状に連結された踏段と、欄干の外周に案内されながら踏段と同期して循環移動する無端状に連結された移動手摺と、を含む循環移動部を備えた既設の乗客コンベアを改修する方法であって、循環移動部に芳香剤を塗布する芳香剤塗布手段を有する芳香剤供給装置を追加して設けるものとする。【選択図】図３
2008290866.tif 000002
【特許請求の範囲】
【請求項１】
主枠内を循環移動する無端状に連結された踏段と、欄干の外周に案内されながら前記踏段と同期して循環移動する無端状に連結された移動手摺と、を含む循環移動部を備えた乗客コンベアであって、
前記循環移動部に芳香剤を塗布する芳香剤塗布手段を有する芳香剤供給装置を備えたことを特徴とする乗客コンベア。
【請求項２】
前記芳香剤塗布手段は、前記循環移動部の前記移動手摺に芳香剤を塗布することを特徴とする請求項１に記載の乗客コンベア。
【請求項３】
前記芳香剤塗布手段は、前記移動手摺の裏面端部に芳香剤を塗布することを特徴とする請求項２に記載の乗客コンベア。
【請求項４】
前記移動手摺の裏面端部に、移動手摺長手方向全長に亘って埋設された芳香剤保持材を備えたことを特徴とする請求項３に記載の乗客コンベア。
【請求項５】
前記芳香剤供給装置は、
芳香剤が充填されるタンクと、
前記タンクの上部を開閉自在にふさぐ蓋と、を備えたことを特徴とする請求項１から請求項４のいずれかに記載の乗客コンベア。
【請求項６】
前記芳香剤塗布手段は、
前記タンクの下方に装着されたノズルと、
前記タンクと前記ノズルとの間に介装された電磁開閉弁と、を備えたことを特徴とする請求項５に記載の乗客コンベア。
【請求項７】
前記芳香剤塗布手段は、
伸長及び後退するロッドを内蔵した電磁プランジャーと、
前記ロッドの先端部に、その一端が固定された連結具と、
前記連結具の他端に取付された前記タンクと、
前記タンクの下端部に装着された芳香剤塗布具と、を備えたことを特徴とする請求項５に記載の乗客コンベア。
【請求項８】
主枠内を循環移動する無端状に連結された踏段と、欄干の外周に案内されながら前記踏段と同期して循環移動する無端状に連結された移動手摺と、を含む循環移動部を備えた既設の乗客コンベアを改修する方法であって、
前記循環移動部に芳香剤を塗布する芳香剤塗布手段を有する芳香剤供給装置を追加して設けることを特徴とする乗客コンベアの改修方法。
【請求項９】
追加して設ける前記芳香剤供給装置の前記芳香剤塗布手段は、前記循環移動部の前記移動手摺に芳香剤を塗布することを特徴とする請求項８に記載の乗客コンベアの改修方法。
【請求項１０】
追加して設ける前記芳香剤供給装置の前記芳香剤塗布手段は、前記移動手摺の裏面端部に芳香剤を塗布することを特徴とする請求項９に記載の乗客コンベアの改修方法。
【請求項１１】
前記移動手摺の裏面端部に、移動手摺長手方向全長に亘って埋設された芳香剤保持材を設けることを特徴とする請求項１０に記載の乗客コンベアの改修方法。
【発明の詳細な説明】
【技術分野】
【０００１】
この発明は、乗客コンベアに関するものである。
【背景技術】
【０００２】
従来における乗客コンベアにおいては、無端状に連結された踏段と、この踏段の左右に立設した欄干と、これら踏段及び欄干を支えるフレーム体とを少なくとも備え、上部機械室芳香発生器、下部機械室芳香発生器、欄干用芳香発生器、スカートガード用芳香発生器、天井用芳香発生器及び踏段用芳香発生器を、前記乗客コンベアの設置されている環境や顧客の希望によって適宜組み合わせて設置したものが知られている（例えば、特許文献１参照）。
【０００３】
【特許文献１】特開２０００−０６３０７０号公報
【発明の開示】
【発明が解決しようとする課題】
【０００４】
しかしながら、特許文献１に示された従来における乗客コンベアにおいては、乗客コンベアの全体に芳香を行渡らせるには、乗客コンベアの全長に比例した数の芳香発生器を、乗客コンベアの全域に亘って設置する必要があるため、設置費用が高くなるという課題や、芳香剤の補給や装置の保守点検に煩雑な手数が掛かり、また、時間を要するという課題がある。
さらに、既設の乗客コンベアに後から芳香発生器を設置する改修を施す場合を想起すると、改修が乗客コンベアの全域に亘ってしまうため、改修工事が大規模なものになるという課題や、改修前と改修後とで意匠面において望まない変化が生じてしまう恐れがあるという課題もある。
【０００５】
この発明は、前述のような課題を解決するためになされたもので、簡潔な構成で乗客コンベアの全体に芳香を行渡らせることができる乗客コンベアを得るものである。
【課題を解決するための手段】
【０００６】
この発明に係る、乗客コンベアにおいては、主枠内を循環移動する無端状に連結された踏段と、欄干の外周に案内されながら前記踏段と同期して循環移動する無端状に連結された移動手摺と、を含む循環移動部を備えた乗客コンベアであって、前記循環移動部に芳香剤を塗布する芳香剤塗布手段を有する芳香剤供給装置を備えた構成とする。
【０００７】
また、この発明に係る、乗客コンベアの改修方法においては、主枠内を循環移動する無端状に連結された踏段と、欄干の外周に案内されながら前記踏段と同期して循環移動する無端状に連結された移動手摺と、を含む循環移動部を備えた既設の乗客コンベアを改修する方法であって、前記循環移動部に芳香剤を塗布する芳香剤塗布手段を有する芳香剤供給装置を追加して設けるものとする。
【発明の効果】
【０００８】
この発明は乗客コンベアに関し、主枠内を循環移動する無端状に連結された踏段と、欄干の外周に案内されながら前記踏段と同期して循環移動する無端状に連結された移動手摺と、を含む循環移動部を備えた乗客コンベアであって、前記循環移動部に芳香剤を塗布する芳香剤塗布手段を有する芳香剤供給装置を備えた構成としたことで、簡潔な構成で乗客コンベアの全体に芳香を行渡らせることが可能であるため、設置費用を安く抑えることができるとともに、芳香剤の補給や装置の保守点検も容易に、かつ、短時間で行うことができるという効果を奏する。
【０００９】
また、乗客コンベアの改修方法に関し、主枠内を循環移動する無端状に連結された踏段と、欄干の外周に案内されながら前記踏段と同期して循環移動する無端状に連結された移動手摺と、を含む循環移動部を備えた既設の乗客コンベアを改修する方法であって、前記循環移動部に芳香剤を塗布する芳香剤塗布手段を有する芳香剤供給装置を追加して設けるものとしたことで、改修が乗客コンベアの一部で済むため、改修工事は必要最小限の小規模なものでよく、改修前と改修後とにおける意匠面の変化も生じ難いという効果を奏する。
【発明を実施するための最良の形態】
【００１０】
実施の形態１．
図１から図３は、この発明の実施の形態１に関するもので、図１は乗客コンベア（エスカレータ）の全体を示す側面図、図２は図１中のＡ部を拡大した要部拡大図、図３は図２中の切断面Ｂ−Ｂで切断した断面図である。
図において１はエスカレータの主枠である。２は無端状に連結され、前記主枠１内を循環移動する踏段であり、前記主枠１上には、前記踏段２の左右両側に沿って、その側面を欄干パネル４により覆われた欄干３が立設されている。５は無端状に連結され、前記欄干３の外周に案内されながら前記踏段２と同期して循環移動する移動手摺であり、前記欄干３の下端部には、スカートガード取付金７を介して、前記踏段２の左右両側に沿うようにスカートガード６が取付されている。
【００１１】
８は芳香剤供給装置で、以下のようにして構成されている。
前記スカートガード取付金７には芳香剤供給装置取付金９の一端が固定されており、この芳香剤供給装置取付金９の他端には、その上部を開閉自在に塞ぐタンク蓋１１を備えたタンク１０が取付されている。前記タンク１０の下方にはノズル１２が装着されており、前記タンク１０とこのノズル１２との間には常閉の電磁開閉弁１３が介装されている。
前記タンク１０には芳香剤１４が充填されており、前記電磁開閉弁１３に通電がなされ開弁すると、前記ノズル１２より前記芳香剤１４が滴下される。この際、前記芳香剤１４が前記移動手摺５の裏面端部５ａへと滴下されるように前記ノズル１２の位置が調整されている。
前記欄干パネル４には、前記芳香剤供給装置８を覗く開口部１５が設けられており、この開口部１５には扉１６が蝶番１７により開閉自在に枢着されている。そして、この扉１６の反蝶番側には、通常時に前記扉１６を施錠する開閉鍵１８が設けられている。
【００１２】
乗客コンベアの運転時においては、予め定めた任意の一定時間毎に前記電磁開閉弁１３へと通電がなされるように制御され、この通電に伴い前記電磁開閉弁１３が前記一定時間毎に開閉を繰り返すことにより、前記ノズル１２から前記移動手摺５の前記裏面端部５ａへと前記タンク１０に充填された前記芳香剤１４が一定間隔で滴下、塗布される。
そして、前記移動手摺５の循環移動に伴い、前記移動手摺５の前記裏面端部５ａに一定間隔で塗布された前記芳香剤１４が前記欄干３の外周を循環移動することによって、前記芳香剤１４が放つ芳香を前記欄干３の上方へと行渡らせる。
【００１３】
以上のように構成された乗客コンベアにおいては、一箇所に芳香供給装置を設置するだけで、乗客コンベアの全体に芳香を行渡らせることが可能であるため、設置費用を安く抑えることができ、芳香剤の補給や装置の保守点検も容易に、かつ、短時間で行うことができる。
また、芳香が、踏段より上方の、利用客の顔に近い位置から放たれるため、踏段下方から発生する乗客コンベアの機械臭や埃臭を和らげ、これらの機械臭や埃臭に伴う利用客の不快感を低減させることができる。
なお、芳香剤供給装置の設置箇所については、乗客コンベアの設置環境や運転方向等に応じて、左右の欄干のどちらか片側のみ若しくは両側のいずれでもよく、また、下部側、上部側若しくはその中間等の任意の箇所でよい。
また、芳香剤を塗布する箇所は、乗客コンベア内を循環移動する箇所であれば、移動手摺以外の箇所でもよく、例えば踏段等にすることも可能である。
【００１４】
実施の形態２．
図４及び図５は、この発明の実施の形態２に関するもので、図４は芳香剤供給装置の芳香剤塗布具が移動手摺より離間した状態を示す要部拡大図、図５は芳香剤供給装置の芳香剤塗布具が移動手摺に当接した状態を示す要部拡大図である。これら図４及び図５において、図１から図３と同符号は同一部分又は相当部分を示しており、説明を省略する。
実施の形態１においては、芳香剤を芳香剤供給装置のノズルから滴下することにより移動手摺に芳香剤を塗布したが、ここで説明する実施の形態２は、芳香剤供給装置の芳香剤塗布具を移動手摺に当接させることにより移動手摺に芳香剤を塗布するものである。
すなわち、芳香剤供給装置８は、以下のようにして構成されている。
１９は電磁プランジャーで、図示を省略しているがこの電磁プランジャー１９は前記主枠１等に固定されている。前記電磁プランジャー１９に内蔵されたロッド１９ａの先端部には、連結具２０の一端がナット２１で固定されており、この連結具２０の他端には、その上部を開閉自在に塞ぐタンク蓋１１を備えたタンク１０が取付されている。前記タンク１０の下端部には芳香剤塗布具２２が装着されており、この芳香剤塗布具２２には、前記タンク１０に充填された芳香剤１４が染込むことができる材料（例えばフェルト等）が用いられている。
前記電磁プランジャー１９に通電がなされると、前記ロッド１９ａが伸長し、前記芳香剤１４を含んだ前記芳香剤塗布具２２が前記移動手摺５へと当接する。この際、前記芳香剤塗布具２２が前記移動手摺５の前記裏面端部５ａへと当接するように前記芳香剤塗布具２２の位置が調整されている。
【００１５】
乗客コンベアの運転時においては、予め定めた任意の一定時間毎に前記電磁プランジャー１９へと通電がなされ、さらに任意の一定時間後にその通電が遮断されるように制御される。これにより前記電磁プランジャー１９に内蔵された前記ロッド１９ａが伸長して前記芳香剤塗布具２２を一定時間前記移動手摺５の前記裏面端部５ａへと当接させた後、前記ロッド１９ａが後退して前記芳香剤塗布具２２を前記裏面端部５ａから離間させる動作が繰り返され、前記芳香剤塗布具２２が前記移動手摺５の前記裏面端部５ａに前記タンク１０に充填された前記芳香剤１４を一定間隔で塗布する。
そして、前記移動手摺５の循環移動に伴い、前記移動手摺５の前記裏面端部５ａに一定間隔で塗布された前記芳香剤１４が前記欄干３の外周を循環移動することによって、前記芳香剤１４が放つ芳香を前記欄干３の上方へと行渡らせる。
【００１６】
以上のように構成された乗客コンベアにおいても、実施の形態１同様の効果を得ることが可能である。
なお、芳香剤供給装置の設置箇所に関し、乗客コンベアの設置環境や運転方向等に応じて、左右の欄干のどちらか片側のみ若しくは両側のいずれでもよく、また、下部側、上部側若しくはその中間等の任意の箇所でよい点や、芳香剤を塗布する箇所は、乗客コンベア内を循環移動する箇所であれば、移動手摺以外の箇所でもよく、例えば踏段等にすることも可能である点についても実施の形態１同様である。
【００１７】
実施の形態３．
図６は、この発明の実施の形態３に関するもので、移動手摺の断面図である。
ここで説明する実施の形態３は、実施の形態１及び実施の形態２における前記移動手摺５の前記裏面端部５ａに、前記芳香剤１４を吸収、保持させておくための芳香剤保持材を設けるようにしたものである。
すなわち、前記裏面端部５ａの前記移動手摺５長手方向全長に亘って、好ましくは吸水性、保持能力の高い材料（例えばゴムスポンジ等）からなる芳香剤保持材２３が埋設されている。
【００１８】
例えば実施の形態１に示された前記芳香剤供給装置８の前記ノズル１２から滴下された前記芳香剤１４は、前記芳香剤保持材２３に吸収、保持された状態で、前記移動手摺５の循環移動に伴い前記欄干３の外周を循環移動することによって、前記芳香剤１４が放つ芳香を前記欄干３の上方へと行渡らせる。実施の形態２に示された前記芳香剤供給装置８を用いた場合も同様である。
【００１９】
以上のように構成された乗客コンベアにおいては、実施の形態１同様の効果を得ることが可能であるのに加えて、芳香剤保持材により芳香を長時間にわたり持続させることができる。また、移動手摺の表面に芳香剤が塗布されていないため、移動手摺を握った利用客の手に芳香剤が付着することを未然に防止することができる。
【００２０】
実施の形態４．
前述した実施の形態１から実施の形態３は本発明を適用した乗客コンベアを新たに設置する際を主に想定したものだが、既設の乗客コンベアに本発明の効果を付与するよう改修を施すことも可能である。
例えば実施の形態１を適用する場合においては、スカートガード取付金に芳香剤供給装置取付金の一端を固定し、この芳香剤供給装置取付金の他端に、その上部を開閉自在に塞ぐタンク蓋を備えたタンクを取付した上で、前記タンクの下方にノズルを装着し、前記タンクとこのノズルとの間に常閉の電磁開閉弁を介装する。そして、前記タンクに芳香剤を充填するとともに、前記電磁開閉弁に通電がなされ開弁し前記ノズルより前記芳香剤が滴下された際に、前記芳香剤が移動手摺の裏面端部へと滴下されるように前記ノズルの位置を調整する。また、欄干パネルに芳香剤供給装置を覗く開口部を設け、この開口部に扉を蝶番により開閉自在に枢着した上で、この扉の反蝶番側に通常時に前記扉を施錠する開閉鍵を設けることになる。
実施の形態２を適用する場合についても、前記同様、主に芳香剤供給装置を設置する改修を施すことになる。
そして、実施の形態３については、前記実施の形態１又は実施の形態２を適用する改修を施した上で、既設の移動手摺に芳香剤保持材を埋設する、又は、予め芳香剤保持材を埋設させた移動手摺と既設の移動手摺とを交換することで適用が可能である。
【００２１】
以上のような乗客コンベアの改修方法においては、改修が乗客コンベアの一部で済むため、改修工事は必要最小限の小規模なものでよく、改修前と改修後とにおける意匠面の変化も生じ難い。
【図面の簡単な説明】
【００２２】
【図１】この発明の実施の形態１における乗客コンベア（エスカレータ）の全体を示す側面図である。
【図２】この発明の実施の形態１における図１中のＡ部を拡大した要部拡大図である。
【図３】この発明の実施の形態１における図２中の切断面Ｂ−Ｂで切断した断面図である。
【図４】この発明の実施の形態２における芳香剤供給装置の芳香剤塗布具が移動手摺より離間した状態を示す要部拡大図である。
【図５】この発明の実施の形態２における芳香剤供給装置の芳香剤塗布具が移動手摺に当接した状態を示す要部拡大図である。
【図６】この発明の実施の形態３における移動手摺の断面図である。
【符号の説明】
【００２３】
１    主枠
２    踏段
３    欄干
４    欄干パネル
５    移動手摺
５ａ  裏面端部
６    スカートガード
７    スカートガード取付金
８    芳香剤供給装置
９    芳香剤供給装置取付金
１０    タンク
１１    タンク蓋
１２    ノズル
１３    電磁開閉弁
１４    芳香剤
１５    開口部
１６    扉
１７    蝶番
１８    開閉鍵
１９    電磁プランジャー
１９ａ  ロッド
２０    連結具
２１    ナット
２２    芳香剤塗布具
２３    芳香剤保持材
【図１】
2008290866.tif 000003
【図２】
2008290866.tif 000004
【図３】
2008290866.tif 000005
【図４】
2008290866.tif 000006
【図５】
2008290866.tif 000007
【図６】
2008290866.tif 000008